(57)【特許請求の範囲】
【請求項１】
それぞれアドレスを備える複数台の操作端末器及び制御端末器が信号線に接続され、信号線に接続された伝送制御装置と前記各端末器との間で時分割多重伝送方式により伝送信号を授受するとともに、伝送制御装置に設定したアドレスの対応関係を用いることにより、操作端末器に設けたスイッチの操作に応じたデータを含む伝送信号を前記対応関係で規定された制御端末器に伝送することにより前記制御端末器に接続した負荷を制御してなり、前記対応関係として、１つのスイッチに１回路の負荷を対応付ける個別制御関係と、１つのスイッチに複数回路の負荷を対応付けるグループ制御関係とを有し、前記対応関係にある負荷の動作状態を表示する表示部を前記操作端末器に設け、前記伝送制御装置が制御端末器から取得した負荷の動作状況に応じて前記操作端末器の表示部の表示を切り換える制御データを伝送する遠隔監視制御システムに操作端末器として用いられ、複数個のアドレスが設定可能なアドレス設定手段と、アドレス設定手段に設定するアドレスを操作部に割り付ける設定モードと操作部の操作により負荷の制御状態を指示する操作モードとを選択するモード選択手段と、アドレス設定手段並びにモード設定手段に対して設定内容を指示するための設定操作手段と、グループ制御関係に対応付けられた前記操作端末器のスイッチの表示部におけるグループ表示方式を設定するグループ表示方式設定データを信号線を介して伝送制御装置に伝送するデータ伝送手段とを備え、データ伝送手段は、グループ表示方式設定データを複数に分割して伝送制御装置へ順次伝送するように構成されていることを特徴とする遠隔監視制御システムのセレクタスイッチ。
【請求項２】
それぞれアドレスを備える複数台の操作端末器及び制御端末器が信号線に接続され、信号線に接続された伝送制御装置と前記各端末器との間で時分割多重伝送方式により伝送信号を授受するとともに、伝送制御装置に設定したアドレスの対応関係を用いることにより、操作端末器に設けたスイッチの操作に応じたデータを含む伝送信号を前記対応関係で規定された制御端末器に伝送することにより前記制御端末器に接続した負荷を制御してなり、前記対応関係として、１つのスイッチに１回路の負荷を対応付ける個別制御関係と、１つのスイッチに複数回路の負荷を対応付けるグループ制御関係とを有し、前記対応関係にある負荷の動作状態を表示する表示部を前記操作端末器に設け、前記伝送制御装置が制御端末器から取得した負荷の動作状況に応じて前記操作端末器の表示部の表示を切り換える制御データを伝送する遠隔監視制御システムに操作端末器として用いられ、複数個のアドレスが設定可能なアドレス設定手段と、アドレス設定手段に設定するアドレスを操作部に割り付ける設定モードと操作部の操作により負荷の制御状態を指示する操作モードとを選択するモード選択手段と、アドレス設定手段並びにモード設定手段に対して設定内容を指示するための設定操作手段と、グループ制御関係に対応付けられた前記複数の操作端末器のスイッチの操作順序に応じた負荷の制御方式を設定するグループ制御方式設定データを信号線を介して伝送制御装置に伝送するデータ伝送手段とを備え、データ伝送手段は、グループ制御方式設定データを複数に分割して伝送制御装置へ順次伝送するように構成されていることを特徴とする遠隔監視制御システムのセレクタスイッチ。
【発明の詳細な説明】
【０００１】
【発明の属する技術分野】
本発明は、時分割多重伝送方式によってデータを授受することにより遠方の負荷の制御状態を操作可能とし、且つ負荷の動作状態を表示可能とした遠隔監視制御システムのセレクタスイッチに関するものである。
【０００２】
【従来の技術】
従来から、それぞれアドレスを備える複数台の操作端末器及び制御端末器が信号線に接続され、信号線に接続された伝送制御装置と前記各端末器との間で時分割多重伝送方式により伝送信号を授受するとともに、伝送制御装置に設定したアドレスの対応関係を用いることにより、操作端末器に設けたスイッチの操作に応じたデータを含む伝送信号を前記対応関係で規定された制御端末器に伝送することにより前記制御端末器に接続した負荷を制御する遠隔監視制御システムが提供されている。ここで、上記対応関係には１つのスイッチに１回路の負荷を対応付ける個別制御関係と、１つのスイッチに複数回路の負荷を対応付けるグループ制御関係とがある。
【０００３】
図５は従来のシステム構成の一例を示しており、伝送制御装置３０には、２線式の信号線Ｌｓを介して、操作スイッチＳ１〜Ｓ３を有する複数台の操作端末器６０、照明負荷（以下、負荷と略す）７１を制御する複数台の制御端末器７０などが接続される。操作端末器６０及び制御端末器７０にはそれぞれ個別のアドレス（個別アドレス）が設定され、この個別アドレスを用いて伝送制御装置３０が操作端末器６０並びに制御端末器７０をアクセスする。
【０００４】
伝送制御装置３０は信号線Ｌｓに対して、図６（ａ）に示すフォーマットの伝送信号Ｖｓを送出する。すなわち、信号送出開始を示す同期信号ＳＹ、伝送信号Ｖｓのモードを示すモードデータＭＤ、操作端末器６０や制御端末器７０を各別に呼び出すためのアドレスデータＡＤ、負荷７１を制御する制御データＣＤ、伝送誤りを検出するためのチェックサムデータＣＳ、操作端末器６０や制御端末器７０からの返送信号（監視データ）を受信するタイムスロットである信号返送期間ＷＴよりなる双極性（±２４Ｖ）の時分割多重信号であり、パルス幅変調によってデータが伝送されるようになっている（図６（ｂ））。各操作端末器６０および各制御端末器７０では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００５】
伝送制御装置３０から所望の操作端末器６０や制御端末器７０にデータを伝送する場合には、モードデータＭＤを制御モードとし、操作端末器６０または制御端末器７０のアドレスをアドレスデータＡＤとする伝送信号Ｖｓを送出し、この伝送信号Ｖｓを信号線Ｌｓに送出すれば、アドレスデータＡＤに一致する操作端末器６０または制御端末器７０が制御データＣＤを受け取り、信号返送期間ＷＴに監視データを返送する。伝送制御装置３０では送出した制御データＣＤと信号返送期間ＷＴに受信した監視データとの関係によって制御データＣＤが所望の操作端末器６０または制御端末器７０に伝送されたことを確認する。制御端末器７０は受け取った制御データＣＤに従って負荷７１を制御するための負荷制御信号を出力し、操作端末器６０では受け取った制御データＣＤに従って負荷７１の動作確認表示を行なうための監視信号を出力する。
【０００６】
一方、伝送制御装置３０は通常時にはモードデータＭＤをダミーモードとした伝送信号Ｖｓを一定時間間隔で送出しており（常時ポーリングという）、操作端末器６０が伝送制御装置３０に対して何らかの情報を伝送しようとするときには、ダミーモードの伝送信号Ｖｓの同期信号ＳＹに同期させて図６（ｃ）のような割込信号を発生させる。このとき、操作端末器６０は割込フラグを設定して伝送制御装置３０との以後の情報授受に備える。伝送制御装置３０では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器６０では、割込ポーリングモードの伝送信号のアドレスデータＡＤの上位４ビットが操作端末器６０に設定されているアドレスの上位４ビットに一致するときに、信号返送期間ＷＴにアドレスの下位４ビットを伝送制御装置３０に返送する。このように、伝送制御装置３０は割込信号を発生した操作端末器６０を１６個ずつまとめて探すので、比較的短い時間で操作端末器６０を発見することができる。
【０００７】
伝送制御装置３０が割込信号を発生した操作端末器６０のアドレスを獲得すると、モードデータＭＤを監視モードとし、獲得したアドレスデータＡＤを持つ伝送信号を信号線Ｌｓに送出するのであって、この伝送信号に対して操作端末器６０は伝送しようとする情報を信号返送期間ＷＴに返送するのである。最後に、伝送制御装置３０は割込信号を発生した操作端末器６０に対して割込リセットを指示する信号を送出し、操作端末器６０の割込フラグを解除する。以上のようにして、操作端末器６０から伝送制御装置３０への情報伝送は、伝送制御装置３０から操作端末器６０への４回の信号伝送（ダミーモード、割込ポーリングモード、監視モード、割込リセット）によって完了する。伝送制御装置３０が所望の制御端末器７０の動作状態を知ろうとするときには、モードデータＭＤを監視データとした伝送信号を送出するだけでよい。
【０００８】
しかして、スイッチＳ１〜Ｓ３の操作により操作データが発生すると、操作端末器６０から操作データを伝送制御装置３０に返送し、この操作データに基づいて生成した制御データＣＤを含む伝送信号を伝送制御装置３０が制御端末器７０に伝送すると、制御端末器７０は負荷７１を制御する。ここで、制御端末器７０は監視データを伝送制御装置３０に返送し、返送された監視データを操作端末器６０に伝送する。この伝送信号によって操作端末器６０では負荷７１の動作状態を表示する表示灯（発光ダイオードなど）を点灯・消灯する。
【０００９】
ところで、この種の遠隔監視制御システムでは、操作端末器６０の個別アドレスと制御端末器７０の個別アドレスとの対応関係を伝送制御装置３０で管理しており、１台の操作端末器６０の個別アドレスを１台の制御端末器７０の個別アドレスに対応付けるだけでなく、１台の操作端末器６０の個別アドレスを複数台の制御端末器７０の個別アドレスに対応付けることも可能であって、後者のように個別アドレスを設定すれば、１回路のスイッチＳ１〜Ｓ３によって複数の負荷７１を一括して制御することが可能になる。この種の制御を一括制御と呼んでおり、とくに、複数の負荷７１を同じ制御状態に制御する一括制御をグループ制御と呼び、複数の負荷７１をあらかじめ個々に設定した制御状態に制御する一括制御をパターン制御と呼んでいる。なお、１台の制御端末器７０に対応付けた操作端末器６０を特に個別スイッチと称し、複数台の制御端末器７０に対応付けた操作端末器６０を特にグループスイッチと称している。
【００１０】
ここで、操作端末器６０の設置スペースの問題や上記一括制御の要求を満たすために、遠隔監視制御システムではセレクタスイッチと称する端末器が提供されている。セレクタスイッチは、多数個のスイッチを備え、各スイッチに異なるアドレスを設定可能としたものであって、１台で複数台の操作端末器として機能させることができるものである。なお、セレクタスイッチのスイッチは個別スイッチ又はグループスイッチの何れにも用いることができる。
【００１１】
ところで、個別スイッチとグループスイッチとが混在するシステムにおいて、表示灯による負荷７１の動作状態を表示する方式には各現場での操作に適したグループ標準表示方式と、ビルの監視室のような場所から負荷の消し忘れなどを監視するのに適したグループ監視表示方式と、テナントビルにおいて各テナント毎に負荷７１が確実に動作しているか否かを監視するのに適したグループ一致表示方式とがある。グループ標準表示方式とは、グループスイッチによって負荷７１をグループ制御した後に個別スイッチにてグループ内の一部の負荷７１の状態を変更した場合でも、グループ制御後の表示灯の表示状態が保持される方式である。すなわち、グループ内の全ての負荷７１がオンしているときに表示灯がオンとなり、グループ内の全ての負荷７１がオフしているときに表示灯がオフとなり、それ以外の動作状態では表示灯の表示内容（オンまたはオフ）が変化しない。
【００１２】
また、グループ監視表示方式とは、グループ内の負荷７１が一つでもオンしているときにはグループスイッチの表示灯をオンさせる方式である。すなわち、グループ内の少なくとも何れか１つの負荷７１がオンしていれば表示灯がオンとなり、グループ内の全ての負荷７１がオフしているときに表示灯がオフとなる。而して、監視室などでフロアや間仕切り毎の各エリア別に負荷７１の消し忘れ等を監視したい場合に上記グループ監視表示方式が有用であり、各エリアをグループに割り付けておけばグループ内の負荷７１が一つでもオンしていればグループスイッチの表示灯がオンし、全ての負荷７１がオフの場合にのみオフするため、負荷７１の消し忘れを監視室などから遠隔で監視することができる。
【００１３】
さらに、グループ一致表示方式とは、グループ内の負荷７１が一つでもオフしているときにはグループスイッチの表示灯をオフさせる方式である。すなわち、グループ内の少なくとも何れか１つの負荷７１がオフしていれば表示灯がオフとなり、グループ内の全ての負荷７１がオンしているときに表示灯がオンとなる。而して、監視室などで各テナント毎の各エリア別に負荷７１の動作状態を監視したい場合に上記グループ一致表示方式が有用であり、各エリアをグループに割り付けておけばグループ内の負荷７１が一つでもオンしていなければグループスイッチの表示灯がオフし、全ての負荷７１がオンの場合にのみオンするため、各テナント毎に全ての負荷７１が確実にオンしているか否かを監視室などから遠隔で監視することができる。
【００１４】
ところで上述のような遠隔監視制御システムにおいて、１台の制御端末器７０を複数のグループに割り付ける場合があり、このような構成では通常、１つのグループのグループスイッチが操作されると負荷７１の状態に関わらずにグループ内の全ての負荷７１が同時に同じようにオフされる。しかしながら、比較的広いオフィス内を幾つかのセクションに分けて各セクション毎にグループを割り付けて負荷７１のオンオフを制御させたい場合がある。このような時にあるグループの負荷７１がオフになるとそれに隣接するグループ（セクション）も僅かに暗くなってしまう。このような状況を改善するために、各セクションの隣接する箇所の負荷７１を両セクションの２つのグループに割り付けて一方のグループがオフ制御されても他のグループにも属している負荷７１はオフしないようにすることが考えられる。このような制御方式をオン優先制御方式と呼び、通常行われる制御方式を後押し優先制御方式と呼ぶことにする。
【００１５】
例えば、図７に示すように４つの負荷７１Ａ〜７１Ｄが、負荷７１Ａ〜７１Ｃからなる第１グループＧ１と、負荷７１Ｂ〜７１Ｄからなる第２グループＧ２とにグループ分けされている場合を考える。この場合、後押し優先制御方式においては、図８に示すように最初に全ての負荷７１Ａ〜７１Ｄがオフした状態から第１グループＧ１に対応付けられた第１グループスイッチが操作されると第１グループＧ１の負荷７１Ａ〜７１Ｃのみがオンし、この状態から第２グループＧ２に対応付けられた第２グループスイッチが操作されると第２グループＧ２の負荷７１Ｂ〜７１Ｄがオンするとともに第２グループＧ２に属さない負荷７１Ａはオンのままとなる。さらに、この状態から第１グループスイッチが操作されれば、第１グループＧ１の負荷７１Ａ〜７１Ｃがオフするとともに第１グループＧ１に属さない負荷７１Ｄはオンのままとなる。
【００１６】
一方、オン優先制御方式においては、図９に示すように最初に全ての負荷７１Ａ〜７１Ｄがオフした状態から第１グループＧ１に対応付けられた第１グループスイッチが操作されると第１グループＧ１の負荷７１Ａ〜７１Ｃのみがオンし、この状態から第２グループＧ２に対応付けられた第２グループスイッチが操作されると第２グループＧ２の負荷７１Ｂ〜７１Ｄがオンするが、第２グループＧ２に属さない負荷７１Ａはオンのままとなる。さらに、この状態から第１グループスイッチが操作されると第１グループＧ１の負荷７１Ａ〜７１Ｃのうちで第２グループＧ２に属さない負荷７１Ａのみがオフし、第２グループＧ２に属する負荷７１Ｂ〜７１Ｄはオンのままとなる。
【００１７】
【発明が解決しようとする課題】
ところで、上述の３種類の表示方式並びに２種類の制御方式の何れを採用するかについては、伝送制御装置３０が具備する不揮発性メモリに記憶されるグループ表示方式設定データ並びにグループ制御方式設定データによって決定される。しかしながら、従来、グループ表示方式設定データ並びにグループ制御方式設定データの伝送制御装置３０への設定は専用の設定器を用いて行われていたため、遠隔監視制御システムの運用が開始された後に上記表示方式又は制御方式を変更する場合等に実使用上は不要である上記設定器を用いて変更作業を行わなければならず、作業が煩わしいという問題があった。
【００１８】
本発明は上記問題に鑑みて為されたものであり、その目的とするところは、グループ表示方式設定データ又はグループ制御方式設定データの伝送制御装置への設定作業が容易に行える遠隔監視制御システムのセレクタスイッチを提供することにある。
【００１９】
【課題を解決するための手段】
請求項１の発明は、上記目的を達成するために、それぞれアドレスを備える複数台の操作端末器及び制御端末器が信号線に接続され、信号線に接続された伝送制御装置と前記各端末器との間で時分割多重伝送方式により伝送信号を授受するとともに、伝送制御装置に設定したアドレスの対応関係を用いることにより、操作端末器に設けたスイッチの操作に応じたデータを含む伝送信号を前記対応関係で規定された制御端末器に伝送することにより前記制御端末器に接続した負荷を制御してなり、前記対応関係として、１つのスイッチに１回路の負荷を対応付ける個別制御関係と、１つのスイッチに複数回路の負荷を対応付けるグループ制御関係とを有し、前記対応関係にある負荷の動作状態を表示する表示部を前記操作端末器に設け、前記伝送制御装置が制御端末器から取得した負荷の動作状況に応じて前記操作端末器の表示部の表示を切り換える制御データを伝送する遠隔監視制御システムに操作端末器として用いられ、複数個のアドレスが設定可能なアドレス設定手段と、アドレス設定手段に設定するアドレスを操作部に割り付ける設定モードと操作部の操作により負荷の制御状態を指示する操作モードとを選択するモード選択手段と、アドレス設定手段並びにモード設定手段に対して設定内容を指示するための設定操作手段と、グループ制御関係に対応付けられた前記操作端末器のスイッチの表示部におけるグループ表示方式を設定するグループ表示方式設定データを信号線を介して伝送制御装置に伝送するデータ伝送手段とを備えたことを特徴とし、操作端末器として遠隔監視制御システムを構成するセレクタスイッチにより信号線を介してグループ表示方式設定データを伝送制御装置に伝送するため、専用の設定器を用いて設定作業を行う従来に比較してグループ表示方式設定データの伝送制御装置への設定作業が容易に行える。また、データ伝送手段は、グループ表示方式設定データを複数に分割して伝送制御装置へ順次伝送するので、負荷の制御を妨げることなくグループ表示方式設定データの伝送が可能になる。
【００２０】
請求項２の発明は、上記目的を達成するために、それぞれアドレスを備える複数台の操作端末器及び制御端末器が信号線に接続され、信号線に接続された伝送制御装置と前記各端末器との間で時分割多重伝送方式により伝送信号を授受するとともに、伝送制御装置に設定したアドレスの対応関係を用いることにより、操作端末器に設けたスイッチの操作に応じたデータを含む伝送信号を前記対応関係で規定された制御端末器に伝送することにより前記制御端末器に接続した負荷を制御してなり、前記対応関係として、１つのスイッチに１回路の負荷を対応付ける個別制御関係と、１つのスイッチに複数回路の負荷を対応付けるグループ制御関係とを有し、前記対応関係にある負荷の動作状態を表示する表示部を前記操作端末器に設け、前記伝送制御装置が制御端末器から取得した負荷の動作状況に応じて前記操作端末器の表示部の表示を切り換える制御データを伝送する遠隔監視制御システムに操作端末器として用いられ、複数個のアドレスが設定可能なアドレス設定手段と、アドレス設定手段に設定するアドレスを操作部に割り付ける設定モードと操作部の操作により負荷の制御状態を指示する操作モードとを選択するモード選択手段と、アドレス設定手段並びにモード設定手段に対して設定内容を指示するための設定操作手段と、グループ制御関係に対応付けられた前記複数の操作端末器のスイッチの操作順序に応じた負荷の制御方式を設定するグループ制御方式設定データを信号線を介して伝送制御装置に伝送するデータ伝送手段とを備えたことを特徴とし、操作端末器として遠隔監視制御システムを構成するセレクタスイッチにより信号線を介してグループ制御方式設定データを伝送制御装置に伝送するため、専用の設定器を用いて設定作業を行う従来に比較してグループ制御方式設定データの伝送制御装置への設定作業が容易に行える。また、データ伝送手段は、グループ制御方式設定データを複数に分割して伝送制御装置へ順次伝送するので、負荷の制御を妨げることなくグループ制御方式設定データの伝送が可能になる。
【００２１】
【発明の実施の形態】
以下、図面を参照して本発明の実施形態を詳細に説明する。
【００２２】
本実施形態のセレクタスイッチは従来の技術としても説明したように、複数台の操作端末器６０の集合体に相当する機能を有するものであり、この機能を実現するために図１に示すように構成されている。セレクタスイッチは、基本的には端末機能部１と表示操作機能部１０とからなり、端末機能部１は主として伝送制御装置３０との間の伝送信号Ｖｓの授受を行なう機能を有している。
【００２３】
すなわち、端末機能部１は、マイクロプロセッサを内蔵した専用の集積回路よりなる信号処理部２を備える。信号処理部２は送受信回路３を通して信号線Ｌｓに接続される。信号処理部２は表示操作機能部１０によってデュアルポートＲＡＭ８に設定された機能データ及びアドレスデータを用いて伝送制御装置３０との間で伝送信号Ｖｓを授受する。機能データは、個別制御、グループ制御、パターン制御、調光制御の制御方法、並びにグループ制御におけるグループ表示方式とグループ制御方式を区別する。また、アドレスデータは伝送制御装置３０との間で伝送信号Ｖｓを授受する際のセレクタスイッチのアドレスとして用いられる。つまり、セレクタスイッチでは、表示操作機能部１０から与えられる機能データ及びアドレスデータに基づいて各種の操作端末器６０に相当する動作が可能になっているのであり、デュアルポートＲＡＭ８はアドレス設定手段として機能することになる。端末機能部１の上述の動作は表示操作機能部１０のプログラムメモリ２０に格納され且つ表示操作機能部１０からＲＡＭ４に転送されたシステムプログラムに従って行われ、また伝送制御装置３０や表示操作機能部１０との間で授受するデータはＲＡＭ４に一時的に格納することができるようになっている。なお、信号処理部２はマイクロプロセッサを内蔵しているから、動作用のクロック信号を発生するための発振回路５も備えている。
【００２４】
表示操作機能部１０は、多数の絵素（ドット）をマトリクス状に配列した液晶表示器よりなるメイン表示部１２と、キャラクタ表示用の液晶表示器よりなる複数のサブ表示部１３と、いわゆるメンブレンスイッチからなる多数のキースイッチを有するスイッチ操作部１４とを備える。メイン表示部１２は表示用ドライバ回路１６を通して表示内容が制御され、同様にサブ表示部１３は表示用ドライバ回路１７を通して表示内容が制御される。表示操作処理部１１はマイクロコンピュータを主構成とし、プログラムメモリ２０に格納されたシステムプログラムに従って動作し、メイン表示部１２やサブ表示部１３等の動作を制御するとともに、スイッチ入力回路１８を介してスイッチ操作部１４の操作状態を監視するものである。ここで、上述した機能データやアドレスデータは、スイッチ操作部１４の操作によってデュアルポートＲＡＭ８に格納されるのであり、スイッチ操作部１４が有する多数のスイッチのうちの何れのスイッチを操作したときにデュアルポートＲＡＭ８のどのデータを採用するかは、表示操作処理部１１により決定される。なお、スイッチ操作部１４のスイッチには、モード選択手段として機能するモードスイッチが含まれており、モードスイッチの操作により表示操作機能部１０を設定モードとして動作させるか、操作モードとして機能させるかを選択できるようにしてある。つまり、設定モードでは表示操作処理部１１に機能データやアドレスデータを設定し、操作モードではスイッチ操作部１４の各スイッチの操作に応じて負荷７１を制御する。ここで、設定モードで設定される機能データやアドレスデータは一旦フラッシュメモリからなるデータメモリ２２に格納される。なお、２１は表示操作処理部１１が各種の作業を行う際に一時的にデータを保存するための作業用メモリである。さらに、表示操作処理部１１にはブザー回路１９を介して圧電ブザー１５が接続され、スイッチ操作部１４のスイッチが操作された場合や何らかの誤操作があった場合にはブザー回路１９により圧電ブザー１５を鳴動させてスイッチ操作による入力を受け付けたことや誤操作があったことを音で報知する。表示操作処理部１１はマイクロコンピュータを主構成とするから、動作用のクロック信号を発生するための発振回路２３、電源投入時に初期化するためのリセット回路２４も備えている。なお、セレクタスイッチは通常の操作端末器６０に比べてかなり大きい電力を必要とするから、内部電源を信号線Ｌｓから得るのではなく、別途に給電される商用電源の交流１００Ｖをトランス６で降圧（約７Ｖ）し、電源回路７にて整流し且つ電圧安定化することによって例えば５Ｖの内部電源を得ている。
【００２５】
一方、本実施形態のセレクタスイッチは図２に示すような外観構造を有している。セレクタスイッチの器体９０は合成樹脂により矩形箱状に形成され、壁面に埋め込まれた埋込ボックスに取付金具（図示せず）を用いて取り付けられるものであり、矩形枠状のプレート１００によって取付金具が覆い隠されている。
【００２６】
器体９０の前面にはメイン表示部１２、多数（本実施形態では１６個）のサブ表示部１３、並びにスイッチ操作部１４が有する多数のキースイッチのキーＫ１…が配設されている。ここで、図２に示すように器体９０の前面は端末操作エリアＡ１と設定操作エリアＡ２に２分されている。
【００２７】
端末操作エリアＡ１にはサブ表示部１３が４×４のマトリクス形に配置され、各サブ表示部１３の下方にそれぞれ４個ずつのキー（スイッチ）Ｋ１〜Ｋ６４が列設されている。ここで、本実施形態のセレクタスイッチが用いられる遠隔監視制御システムにおいては、１台の操作端末器６０及び制御端末器７０にて最大４回路の負荷制御が可能となるように、回路別を示す２ビットの負荷番号がアドレスデータに付加されており、各端末器６０，７０のアドレスがチャンネルと呼ばれ、チャンネルと負荷番号とがまとめてアドレスと呼ばれている。このため、１台で複数台の操作端末器として機能させる本実施形態のセレクタスイッチにおいては、１つのサブ表示部１３と４個のキー（例えばＫ１〜Ｋ４）が１台の操作端末器に相当しており、１つのチャンネルが割り当てられたサブ表示部１３の４個のキーＫ１…にそれぞれ１〜４の負荷番号が割り当てられる。なお、システムの仕様として１台の伝送制御装置３０で最大２５６個の負荷７１が制御可能であり、１台の端末器６０，７０で４回路の負荷制御が可能であるから、端末器６０，７０のアドレスは０ｃｈ〜６３ｃｈの６４個のチャンネルと１〜４の負荷番号の組み合わせで表される。例えば３−２であれば３ｃｈの負荷番号２、１６−１であれば１６ｃｈの負荷番号１というアドレスを表している。そして、互いに一対一に対応する操作端末器６０と制御端末器７０とは同チャンネルに設定することにより対応関係をわかりやすくしてある（実際にはチャンネルに合わせて操作端末器６０か制御端末器７０かの区別もしてある。たとえば、アドレスデータのうちの上位数ビットで操作端末器６０か制御端末器７０かの別を表し、下位数ビットをチャンネルとして用いる）。
【００２８】
ここで、本実施形態では１６個のサブ表示部１３を６４台の操作端末器６０に対応させるために１つのサブ表示部１３に各４台の操作端末器６０を割り当てており、第１の表示状態では０ｃｈ〜１５ｃｈ、第２の表示状態では１６ｃｈ〜３１ｃｈ、第３の表示状態では３２ｃｈ〜４７ｃｈ、第４の表示状態では４８ｃｈ〜６３ｃｈの文字がそれぞれ対応するサブ表示部１３に選択的に表示される。ここで第１〜第４の各表示状態を「ページ」と表現し、端末操作エリアＡ１に配設されているページ送り用のキーＫ６５並びにページ戻り用のキーＫ６６を操作することで４つのページが選択可能としてある。例えば、左端最上段のサブ表示部１３においては、１番目のページが選択された状態で「０ｃｈ」、２番目のページが選択された状態で「１６ｃｈ」、３番目のページが選択された状態で「３２ｃｈ」、４番目のページが選択された状態で「４８ｃｈ」とそれぞれ表示される。また、これらのサブ表示部１３には、各キーＫ１…毎にアドレスの対応関係を有する負荷７１の動作状態（オンまたはオフ）を表す文字や記号も表示される。
【００２９】
一方、設定操作エリアＡ２には上部にメイン表示部１２が配置され、メイン表示部１２の側方と下方にそれぞれ複数のキーＫ６７〜Ｋ８７が列設されている。キーＫ６７は上述のモードスイッチであって、キーＫ６７が操作される毎に表示操作機能部１０の機能が操作モード→設定モード→特別モードにサイクリックに切り換えられる。
【００３０】
次にセレクタスイッチを用いてグループ制御内容及びパターン制御内容を設定する手順を簡単に説明する。但し、両者の基本的な設定手順は共通であるから、グループ制御内容の設定手順についてのみ説明する。
【００３１】
まず、キーＫ６７を操作して設定モードに切り換えるとともに、キーＫ７５を操作することで設定モードの中からグループ制御内容設定モードを選択する。グループ制御内容設定モードでは、テンキーを構成するキーＫ７８〜Ｋ８７を操作してグループ制御用のグループアドレスを選択する。なお、このグループアドレスは本実施形態のシステム仕様で最大１２７まで設定可能である。そして、グループアドレスを確定したら、次にグループ制御の対象とするチャンネル及び負荷番号からなるアドレスを選択する。ここで、セレクタスイッチにおいては端末操作エリアＡ１に各チャンネル及び負荷番号に対応するキーＫ１〜Ｋ６４が設けてあるので、キーＫ１〜Ｋ６４を操作することでグループ制御の対象とするアドレスが直ちに選択し得るという利点がある。また、複数のグループアドレスを設定する場合にはここまでの上記手順を繰り返せばよい。
【００３２】
さらに、全てのグループ制御内容の設定が完了したら、キーＫ６７を操作して設定モードに切り換えるとともに、設定モードの複数項目の中からグループ制御内容設定データを伝送制御装置３０に転送するデータ転送モードを選択する。このデータ転送モードにおいては、表示操作処理部１１からデュアルポートＲＡＭ８を介して信号処理部２に送られたグループ制御内容設定データが送受信回路３より信号線Ｌｓを介して伝送制御装置３０に転送される。伝送制御装置３０では、個別制御やグループ制御あるいはパターン制御等の制御内容に応じたアドレスの対応関係を管理するための管理テーブルに信号線Ｌｓを介して転送された上記設定データを登録する。
【００３３】
次に、本発明の要旨であるグループ表示方式設定データ並びにグループ制御方式設定データを伝送制御装置３０に設定する手順を説明する。本実施形態では、上記特別モードの中にグループ表示方式設定モードとグループ制御方式設定モードが用意されており、キーＫ６７を操作して特別モードに切り換えるとともに、特別モードの複数項目の中からグループ表示方式設定モード並びにグループ制御方式設定モードが選択可能となっている。
【００３４】
まず、グループ表示方式設定モードを選択した場合を説明する。グループ表示方式設定モードを選択すると、現在伝送制御装置３０に登録されている全てのグループアドレスと各グループアドレス毎のグループ表示方式の設定内容とがメイン表示部１２の画面に表示される。なお、現在の登録内容は信号線Ｌｓを介して伝送制御装置３０から取得されるものである。ここで、グループ表示方式の規定値（デフォルト値）はグループ標準表示方式に設定されており、メイン表示部１２の画面にはグループ標準表示方式を示す番号（例えば、「１」）が表示される。この状態からグループ表示方式を規定値から変更しようとするグループアドレスをキーＫ７５並びにキーＫ７３〜Ｋ８７の操作で選択し、さらに変更先のグループ表示方式を示す番号（例えば、グループ監視表示方式であれば「２」、グループ一致表示方式であれば「３」）をキーＫ７３〜Ｋ８７の操作で選択する。また、複数のグループアドレスについてグループ表示方式の設定を規定値から変更する場合にはここまでの上記手順を繰り返せばよい。
【００３５】
さらに、全てのグループ表示方式の設定が完了したら、キーＫ６７を操作して特別モードの項目選択状態に戻り、特別モードの複数項目の中からグループ表示方式設定データを伝送制御装置３０に転送するデータ転送モードを選択する。このデータ転送モードにおいては、表示操作処理部１１からデュアルポートＲＡＭ８を介して信号処理部２に送られたグループ表示方式設定データが送受信回路３より信号線Ｌｓを介して伝送制御装置３０に転送される。伝送制御装置３０では信号線Ｌｓを介して転送されたグループ表示方式設定データを各グループアドレス毎に管理テーブルに登録し、グループ表示方式の設定作業が完了する。
【００３６】
一方、グループ制御方式設定データを伝送制御装置３０に設定する手順はグループ表示方式設定データの設定手順とほぼ共通であって、グループ制御方式設定モードを選択すると、現在伝送制御装置３０に登録されている全てのグループアドレスと各グループアドレス毎のグループ制御方式の設定内容とがメイン表示部１２の画面に表示される。なお、現在の登録内容は信号線Ｌｓを介して伝送制御装置３０から取得されるものである。ここで、グループ制御方式の規定値（デフォルト値）は後押し優先制御方式に設定されており、メイン表示部１２の画面には後押し優先制御方式を示す番号（例えば、「１」）が表示される。この状態からグループ制御方式を規定値から変更しようとするグループアドレスをキーＫ７５並びにキーＫ７３〜Ｋ８７の操作で選択し、さらに変更先のグループ制御方式を示す番号（例えば、オン優先制御方式を示す「２」）をキーＫ７３〜Ｋ８７の操作で選択する。また、複数のグループアドレスについてグループ制御方式の設定を規定値から変更する場合にはここまでの上記手順を繰り返せばよい。
【００３７】
さらに、全てのグループ制御方式の設定が完了したら、キーＫ６７を操作して特別モードの項目選択状態に戻り、特別モードの複数項目の中からグループ制御方式設定データを伝送制御装置３０に転送するデータ転送モードを選択する。このデータ転送モードにおいては、表示操作処理部１１からデュアルポートＲＡＭ８を介して信号処理部２に送られたグループ制御方式設定データが送受信回路３より信号線Ｌｓを介して伝送制御装置３０に転送される。伝送制御装置３０では信号線Ｌｓを介して転送されたグループ制御方式設定データを各グループアドレス毎に管理テーブルに登録し、グループ制御方式の設定作業が完了する。
【００３８】
ところで、セレクタスイッチと伝送制御装置３０との間の上記データ転送は、具体的には図３に示すように行なわれる。すなわち、セレクタスイッチが割込信号を発生し（Ｒ1 ）、これに対して伝送制御装置３０は割込フラグを設定して割込ポーリングを行ない（Ｔ1）、セレクタスイッチからアドレスの返信を待つ（Ｒ2 ）。伝送制御装置３０はセレクタスイッチのアドレスを獲得するとセレクタスイッチからの要求内容を監視する（Ｔ2 ）。セレクタスイッチでは伝送制御装置３０からの要求内容の監視に対して関係データの受信を要求し（Ｒ3 ）、要求内容を受け取った伝送制御装置３０は割込フラグを解除する（Ｔ3 ）。また、伝送制御装置３０では、設定データ（グループ表示方式設定データ及びグループ制御方式設定データだけでなくグループ制御内容の設定データ等も含む）を授受するために設定データを格納する２５６バイトのアドレス領域を確保する。なお、本実施形態では２５６バイトを１ベージと呼んで単位化しており、伝送制御装置３０では１ページのアドレス領域を確保することになる。１ページのアドレス領域が確保されると、設定データの登録のためのアドレス領域をセレクタスイッチに通知し（Ｔ4 ）、設定データの送信開始を指示する（Ｔ5 ）。送信を指示した後にはセレクタスイッチからの設定データの転送状態を監視し（Ｔ6 ）、セレクタスイッチにおいて設定データの転送が可能である（つまり、転送ありである）旨の通知が返送されると（Ｒ4 ）、転送処理に移行する。
【００３９】
転送処理では、伝送制御装置３０にセレクタスイッチからの設定データが転送される。ここで、通常は１回で伝送できない程度の量であれば一部だけが転送され、設定データの転送が終了していなければ、セレクタスイッチから割込信号が再び発生し、上述の処理を繰り返して設定データの転送を行なう。具体的には、伝送制御装置３０はセレクタスイッチから何バイトのデータが送信されてくるのかを監視し（Ｔ7 ）、バイトカウンタを返信させる（Ｒ5 ）。その後、設定データの監視を行ない（Ｔ81）、セレクタスイッチからバイトカウンタで指定されたバイト数の設定データを転送させる（Ｒ61）。ここで、設定データは一度に全部を転送せずに複数に分割され、バイトカウンタで指定されたバイト数の設定データの転送が終了するまで、セレクタスイッチから伝送制御装置３０への転送が繰り返される（Ｔ81〜Ｔ8n，Ｒ61〜Ｒ6n）。最後に、伝送制御装置３０からセレクタスイッチに対して設定データのチェックサムを要求し（Ｔ9 ）、チェックサムが返信されると（Ｒ7 ）、伝送誤りの有無を検出する。このようにしてセレクタスイッチから伝送制御装置３０に対して分割して転送された設定データの内容に従って、伝送制御装置３０では管理テーブルを設定するのである。
【００４０】
後処理は、転送状態を転送なしに設定する処理であって、伝送制御装置３０では設定データの設定が完了した後に、セレクタスイッチの転送状態を監視し（Ｔ10）、転送が完了したことを確認する（Ｒ8 ）。その後、データ送信終了指示を送出して（Ｔ11）、設定データの転送に関するすべての処理が完了したことをセレクタスイッチに通知する。
【００４１】
而して、上述のような手順で設定データのデータ転送を行えば、負荷７１の制御が可能な状態において負荷７１への制御データを生成していない空き時間に、グループ制御内容設定データやグループ表示方式設定データあるいはグループ制御方式設定データ等の設定データをセレクタスイッチから伝送制御装置３０に転送することができるのである。
【００４２】
上述したように本実施形態では、設定データを複数に分割し、セレクタスイッチから伝送制御装置３０に複数回で設定データを転送している。これは、１回で同じ容量の設定データを転送すると転送処理の時間が長くなり、負荷７１を通常に制御できない期間が生じる可能性があるからであって、上述のように負荷７１の制御のために用いられていない空き時間を利用するように設定データを分割して転送することにより、負荷７１を制御できない期間を生じることなく設定データを転送することができる。実際に、負荷７１の制御は短時間の処理であり、負荷７１の制御に用いていない多くの空き時間が存在するから、設定データを１バイトずつに分割して空き時間に順次転送すれば、負荷７１の制御を妨げることなく設定データの転送が可能になる。また、設定データを分割して転送するために、伝送制御装置３０では、転送状態に関するデータを保持するのであって、転送ありか転送なしかによって、未転送の設定データが残っているか否かを認識することができるのである。その結果、転送状態が転送ありである期間に、負荷７１の制御が要求されたときには、負荷７１の制御を設定データの転送に優先して処理し、負荷７１の制御を処理した後に、再び設定データの転送を継続することで、負荷７１の制御を妨げることなく設定データを転送することができるのである。
【００４３】
なお、セレクタスイッチと伝送制御装置３０との間で転送されるデータのフォーマトは図４のようなものであって、上述した１ページのアドレス領域にこの形のデータが下位側から順次格納されるようになっている。つまり、このデータはバイトカウンタＢＣ、データの識別用のヘッダＨＤ、端末器間でデータを伝送する際の送信先アドレスＳＡ、端末器間でデータを伝送する際の送信元アドレスＤＡ、転送データＤＴ1 〜ＤＴn 、チェックサムＳＵＭよりなり、バイトカウンタＢＣはアドレス領域の００Ｈに格納され、ヘッダＨＤはアドレス領域の０１Ｈに格納されるというようにして上記データがアドレス領域に格納される。ただし、上述のような設定データを伝送する際には、バイナリカウンタＢＣと転送データＤＴ1〜ＤＴn とチェックサムＳＵＭとだけが用いられる。
【００４４】
本実施形態は上述のように構成されたものであるから、操作端末器６０として遠隔監視制御システムを構成するセレクタスイッチにより信号線Ｌｓを介してグループ表示方式設定データ並びにグループ制御方式設定データを伝送制御装置３０に伝送するため、専用の設定器を用いて設定作業を行う従来に比較してグループ表示方式設定データ並びにグループ制御方式設定データの伝送制御装置３０への設定作業が容易に行えるものである。しかも、本実施形態では複数のグループアドレス毎にグループ表示方式並びにグループ制御方式を選択的に切り換えて設定できるため、操作端末器６０の各スイッチの使用目的に応じてグループ表示方式並びにグループ制御方式を選択することができるから、単一のシステム内でグループ表示方式及びグループ制御方式を使い分けることができてシステム構成が容易になるという利点がある。
【００４５】
【発明の効果】
請求項１の発明は、それぞれアドレスを備える複数台の操作端末器及び制御端末器が信号線に接続され、信号線に接続された伝送制御装置と前記各端末器との間で時分割多重伝送方式により伝送信号を授受するとともに、伝送制御装置に設定したアドレスの対応関係を用いることにより、操作端末器に設けたスイッチの操作に応じたデータを含む伝送信号を前記対応関係で規定された制御端末器に伝送することにより前記制御端末器に接続した負荷を制御してなり、前記対応関係として、１つのスイッチに１回路の負荷を対応付ける個別制御関係と、１つのスイッチに複数回路の負荷を対応付けるグループ制御関係とを有し、前記対応関係にある負荷の動作状態を表示する表示部を前記操作端末器に設け、前記伝送制御装置が制御端末器から取得した負荷の動作状況に応じて前記操作端末器の表示部の表示を切り換える制御データを伝送する遠隔監視制御システムに操作端末器として用いられ、複数個のアドレスが設定可能なアドレス設定手段と、アドレス設定手段に設定するアドレスを操作部に割り付ける設定モードと操作部の操作により負荷の制御状態を指示する操作モードとを選択するモード選択手段と、アドレス設定手段並びにモード設定手段に対して設定内容を指示するための設定操作手段と、グループ制御関係に対応付けられた前記操作端末器のスイッチの表示部におけるグループ表示方式を設定するグループ表示方式設定データを信号線を介して伝送制御装置に伝送するデータ伝送手段とを備えたので、操作端末器として遠隔監視制御システムを構成するセレクタスイッチにより信号線を介してグループ表示方式設定データを伝送制御装置に伝送するため、専用の設定器を用いて設定作業を行う従来に比較してグループ表示方式設定データの伝送制御装置への設定作業が容易に行えるという効果がある。また、データ伝送手段は、グループ表示方式設定データを複数に分割して伝送制御装置へ順次伝送するので、負荷の制御を妨げることなくグループ表示方式設定データの伝送が可能になるという効果がある。
【００４６】
請求項２の発明は、それぞれアドレスを備える複数台の操作端末器及び制御端末器が信号線に接続され、信号線に接続された伝送制御装置と前記各端末器との間で時分割多重伝送方式により伝送信号を授受するとともに、伝送制御装置に設定したアドレスの対応関係を用いることにより、操作端末器に設けたスイッチの操作に応じたデータを含む伝送信号を前記対応関係で規定された制御端末器に伝送することにより前記制御端末器に接続した負荷を制御してなり、前記対応関係として、１つのスイッチに１回路の負荷を対応付ける個別制御関係と、１つのスイッチに複数回路の負荷を対応付けるグループ制御関係とを有し、前記対応関係にある負荷の動作状態を表示する表示部を前記操作端末器に設け、前記伝送制御装置が制御端末器から取得した負荷の動作状況に応じて前記操作端末器の表示部の表示を切り換える制御データを伝送する遠隔監視制御システムに操作端末器として用いられ、複数個のアドレスが設定可能なアドレス設定手段と、アドレス設定手段に設定するアドレスを操作部に割り付ける設定モードと操作部の操作により負荷の制御状態を指示する操作モードとを選択するモード選択手段と、アドレス設定手段並びにモード設定手段に対して設定内容を指示するための設定操作手段と、グループ制御関係に対応付けられた前記複数の操作端末器のスイッチの操作順序に応じた負荷の制御方式を設定するグループ制御方式設定データを信号線を介して伝送制御装置に伝送するデータ伝送手段とを備えたので、操作端末器として遠隔監視制御システムを構成するセレクタスイッチにより信号線を介してグループ制御方式設定データを伝送制御装置に伝送するため、専用の設定器を用いて設定作業を行う従来に比較してグループ制御方式設定データの伝送制御装置への設定作業が容易に行えるという効果がある。また、データ伝送手段は、グループ制御方式設定データを複数に分割して伝送制御装置へ順次伝送するので、負荷の制御を妨げることなくグループ制御方式設定データの伝送が可能になるという効果がある。
【図面の簡単な説明】
【図１】実施形態を示すブロック図である。
【図２】同上の正面図である。
【図３】同上におけるデータの転送手順を示す動作説明図である。
【図４】同上に用いる伝送信号のフォーマットを示す動作説明図である。
【図５】遠隔監視制御システムの基本構成を示すブロック図である。
【図６】同上の動作説明図である。
【図７】同上の説明図である。
【図８】同上における後押し優先制御方式の説明図である。
【図９】同上におけるオン優先制御方式の説明図である。
【符号の説明】
１  端末機能部
２  信号処理部
３  送受信回路
８  デュアルポートＲＡＭ
１０  表示操作機能部
１１  表示操作処理部
１２  メイン表示部
１３  サブ表示部
１４  スイッチ操作部
【図１】
0003719171.tif 000002
【図２】
0003719171.tif 000003
【図３】
0003719171.tif 000004
【図４】
0003719171.tif 000005
【図５】
0003719171.tif 000006
【図６】
0003719171.tif 000007
【図７】
0003719171.tif 000008
【図８】
0003719171.tif 000009
【図９】
0003719171.tif 000010